(57)【要約】【課題】大型のビューファインダを用いることなくカメラ本体の後方で映像を確認する。【解決手段】ビデオカメラ１は、ビューファインダ取付部１７から取り外したビューファインダ１２を、ビューファインダ取付部１７に一方が回動可能に固定された第１のアーム部材９１の他端にブラケット９４を介して装着する。第１のアーム部材９１の他端は、第２のアーム部材９２により支持され、第２のアーム部材９２は、三脚９３等の固定物に接続する。【選択図】　図１９
2004147233.tif 000002
【特許請求の範囲】
【請求項１】
被写体を撮像するカメラ本体と、
上記カメラ本体に着脱可能に取り付けられ、上記カメラ本体が撮像した映像を表示するビューファインダとを備え、
上記ビューファインダは、映像を表示する表示ユニットと、上記表示ユニットが上記カメラ本体に回動可能に取り付けられるとともに、上記カメラ本体のファインダ取付部に対して着脱可能な取付部材とを有し、
上記カメラ本体には、付属部品を取り付ける部品取付部が設けられているビデオカメラ。
【請求項２】
上記ファインダ取付部は、上記カメラ本体の前面側に設けられるとともに、上記カメラ本体の前面側から背面側に延出するアーム部材が着脱可能に取り付けられ、このアーム部材には、上記表示ユニットが着脱可能である請求項１記載のビデオカメラ。
【請求項３】
上記部品取付部には、上記表示ユニットが着脱可能である請求項１記載のビデオカメラ。
【請求項４】
上記部品取付部及び／又は上記表示ユニットには、予備ねじが取り付けられている請求項１記載のビデオカメラ。
【発明の詳細な説明】
【０００１】
【発明の属する技術分野】
本発明は、撮影する被写体を見ることができるようにするビューファインダを備えるビデオカメラに関する。
【０００２】
【従来の技術】
放送局等で使用される業務用のビデオカメラは、撮影者の肩の上に載せるようにして支えることによって撮影を行なうという使用状態に適するように操作系、ビューファインダの接眼部の位置、重量バランス等が考慮して設計されている。例えば、ビデオカメラのビューファインダの接眼部は、カメラ本体を肩に載せて支えたときに丁度、撮影者の目の位置に来るように、カメラ本体の前面側に設けられている。
【０００３】
ところで、このようなビデオカメラにおいては、上述したように、元々撮影者の肩の上に載せて支えて使用するように設計されているため、カメラ本体を三脚等に固定して使用するときは、ビューファインダの接眼部の位置が使用状態に合わないという問題がある。すなわち、カメラ本体を三脚等に固定して使用するときには、接眼部を撮影者の目の位置に合わせてかなり高い位置に固定して、左側方から接眼部を覗き込まなくてはならない。
【０００４】
そこで、通常のビューファインダに比べて接眼部の位置をより後方に位置するように変えて、三脚等に固定した時にＥＮＧカメラの後方から接眼部を覗き込むようにする大型のビューファインダが用いられる。この様な大型のビューファインダは、例えば、通常のビューファインダと交換してカメラ本体に取り付けるか、又は、通常のビューファインダに付加するようにして取り付けて、接眼部をカメラ本体の背面側に延長するようになっている。このような大型のビューファインダにあっては、内部にレンズやプリズム等が組み込まれているために重量が重く、それ自体で自立することができない。したがって、このような大型のビューファインダは、カメラ本体のファインダ支持部材によって下方から支持されるという構造になっている（例えば特許文献１参照。）。
【０００５】
【特許文献１】
特開平１０−１９１１１８号公報
【０００６】
【発明が解決しようとする課題】
ところで、このような大型のファインダは、上述したレンズやプリズム等の光学部品の他、陰極線管や液晶表示パネルといった画像表示装置が光学的に調整された状態で内蔵されている。しかしながら、大型のファインダを構成する鏡筒内に、画像表示装置や光学部品を内蔵すると、大型のファインダは、構成が複雑になり、故障しやすく、また、重くなることから、取り扱いが不便である。
【０００７】
本発明は、以上のような課題に鑑みてなされたものであり、その目的は、標準的大きさのビューファインダをカメラ本体の様々な位置に容易に取り付けることができるようにするビデオカメラを提供することがある。
【０００８】
また、本発明の目的は、標準的な大きさのビューファインダを用いて、従来用いた大型のビューファインダの機能を実現することができるビデオカメラを提供することにある。
【０００９】
【課題を解決するための手段】
上述した課題を解決するために本発明に係るビデオカメラは、被写体を撮像するカメラ本体と、カメラ本体に着脱可能に取り付けられ、カメラ本体が撮像した映像を表示するビューファインダとを備え、ビューファインダは、映像を表示する表示ユニットと、表示ユニットがカメラ本体に回動可能に取り付けられるとともに、カメラ本体のファインダ取付部に対して着脱可能な取付部材とを有し、カメラ本体には、付属部品を取り付ける部品取付部が設けられている。
【００１０】
以上のように構成されたビデオカメラは、カメラ本体に対して着脱可能とされたビューファインダを部品取付部に装着する。
【００１１】
【発明の実施の形態】
以下、本発明を適用したビデオカメラについて、図面を参照して説明する。
【００１２】
本発明を適用したビデオカメラは、撮影した被写体の映像をデジタルデータに変換し、このデジタルデータを記録するビデオカメラであり、いわゆるデジタルハイビジョン放送等に用いる高画質デジタル映像を撮影する場合に用いられるものである。このビデオカメラは、使用者等が映像を見るためのビューファインダが着脱可能とされており、所望の位置及び所望の視野で撮影中の映像及び撮影された映像を確認することができるものである。以下では、図１に示すような、ビデオカメラ１について説明する。
【００１３】
ビデオカメラ１は、映像を撮影して映像信号を出力する撮影部１０と、撮影部１０から出力された映像信号を記録再生するカメラ本体１１と、カメラ本体１１から出力された映像信号に基づく映像を表示するビューファインダ１２と、ビデオカメラ１の各部を駆動する電力を供給する電源部１３と、カメラ本体１１を使用者の肩に乗せるための肩乗せ凹部１５と、カメラ本体１１を持ち上げるための取手部１４とを備えている。
【００１４】
撮影部１０は、被写体からの光を集光する撮影レンズ２１と、撮影レンズ２１により集光された光を受光することで被写体の映像を撮影する図示しないＣＣＤ（Ｃｈａｒｇｅ−Ｃｏｕｐｌｅｄ　Ｄｅｖｉｃｅ）等の受光素子とを有している。また、撮影部１０は、例えば図示しないズーム機構を有しており、このズーム機構を駆動することで撮影レンズ２１の光学倍率を所定の範囲で可変することができる。更に、撮影部１０は、例えば、撮影レンズ２１により集光された光を３原色である赤、緑及び青色の成分に分離する図示しない光学系を有しており、分離された各色の成分に対応するようにＣＣＤが３つ設けられた、いわゆる３ＣＣＤ方式の構成とされている。
【００１５】
このような構成とされた撮影部１０は、ＣＣＤにより受光した光の強度に応じた映像信号を生成し、この映像信号をカメラ本体１１に出力する。
【００１６】
なお、撮影部１０は、受光素子にＣＣＤを用いるとしたがこれ限定されるものではなく、例えば効率よく光電変換を行う光電変換素子としてＣＭＯＳ（ｃｏｍｐｌｅｍｅｎｔａｒｙ　ｍｅｔａｌ−ｏｘｉｄｅ　ｓｅｍｉｃｏｎｄｕｃｔｏｒ　ｄｅｖｉｃｅ）等を用いてもよい。
【００１７】
カメラ本体１１は、略直方体状のビデオカメラ１の本体を形成し、長手方向の一側面が前面とされ、前面に撮影部１０が設けられ、背面に電源部１３が設けられ、上面に取手部１４が設けられ、下面に肩乗せ凹部１５が配設され、下面にカメラ本体１１を三脚等に固定するための三脚取付部１６と、前面にビューファインダ１２を取り付けるためのビューファインダ取付部１７と、上面の前方にマイク等を取り付けるための第１の部品取付部１８と、上面の後方に各種部品を取り付けるための第２の部品取付部１９と、後述する表示ユニット３１における接続コード４９が接続される表示ユニット接続部２０とが設けられている。
【００１８】
カメラ本体１１は、撮影部１０により撮影されて出力された映像信号が入力され、この入力された映像信号を図示しない記録再生部に記録する。記録再生部は、例えば磁気テープやハードディスク等の記録媒体に映像信号を記録することができるとともに、記録媒体に記録された映像信号を再生することができる。
【００１９】
また、カメラ本体１１は、撮影部１０から出力された映像信号が入力され、この入力された映像信号をビューファインダ１２に出力したり、記録再生部に記録された映像信号を再生してビューファインダ１２に出力したりすることができる。
【００２０】
なお、カメラ本体１１は、記録再生部を内蔵せずに、外部に設けられた大容量の記録媒体に映像信号を記録するようにすることで、カメラ本体１１が軽量化でき使用者にとってビデオカメラ１の取り扱いが容易になる。
【００２１】
ビューファインダ１２は、撮影部１０により撮影している映像や、撮影部１０により撮影しカメラ本体１１の記録再生部に記録された映像を使用者が肉眼で確認するための映像表示装置であり、図２に示すように、カメラ本体１１に対して２７０°の範囲で回動可能とされている。ビューファインダ１２は、使用者が右肩の上に肩乗せ凹部１５が当接するようにビデオカメラ１を保持した場合に、後述する接眼部６８が後方に向く位置が基準位置とされている。また、ビューファインダ１２は、図３に示すように、カメラ本体１１のビューファインダ取付部１７に着脱可能に設けられている。
【００２２】
具体的に、ビューファインダ１２が、基準位置から左回りに９０°回動した位置にあるときは、例えば、ビデオカメラ１が使用者に対して低い位置にある場合に好適であり、使用者が上方に向けられたビデオカメラ１の高さに応じて頭部を下げずとも上方から映像を確認することができる。
【００２３】
また、ビューファインダ１２が、基準位置から左回りに１８０°回動した位置にあるときは、例えば、ビデオカメラ１を使用者が抱きかかえ上方を撮影する場合に好適であり、使用者がビデオカメラ１を抱きかかえながらも上方から映像を確認することができる。
【００２４】
更に、ビューファインダ１２が、基準位置から右回り９０°回動した位置にあるときは、例えば、ビデオカメラ１が使用者に対して高い位置にある場合に好適であり、使用者がビデオカメラ１の高さに応じて頭部を上げずとも下方から映像を確認することができる。
【００２５】
取手部１４は、使用者がビデオカメラ１を持ち歩く際や、ビデオカメラ１を低い位置で用いる場合に、ビデオカメラ１を保持するために使用者が手で握ることができるように設けられている。
【００２６】
肩乗せ凹部１５は、使用者がビデオカメラ１を肩に乗せて用いる場合に肩と当接する部分であり、使用者の肩に乗せやすくするために、柔らかな材料を用いて曲面を持たせた形状に形成されている。
【００２７】
三脚取付部１６は、後述する三脚９３等とカメラ本体１１を接続するためのねじ孔が設けられている。
【００２８】
ビューファインダ取付部１７は、図３に示すように、ビューファインダ１２を取り付けることが可能となるように設けられた傾斜部１７ａを有する板状の部材であり、傾斜部１７ａの一部にロック凹部１７ｂが設けられ、更にビューファインダ１２をカメラ本体１１に対して固定するロックねじ１７ｃが設けられている。
【００２９】
第１の部品取付部１８及び第２の部品取付部１９は、マイク等の部品を装着することができるようにそれぞれねじ孔が設けられ、このねじ孔には予備ねじがねじ込まれている。
【００３０】
表示ユニット接続部２０は、後述する接続コード４９のコネクタ４９ａが接続され、カメラ本体部１１とビューファインダ１２とを電気的に接続するためのコネクタであり、図３中に示す矢印Ａ４方向にコネクタ４９ａが着脱される。
【００３１】
このような構成とされたビデオカメラ１が備えるビューファインダ１２について詳細に説明する。
【００３２】
ビューファインダ１２は、図４乃至図５に示すように、映像を表示する表示ユニット３１と、表示ユニット３１をカメラ本体１１のビューファインダ取付部１７に取り付けるための取付部材３２と、表示ユニット３１に表示された映像を拡大するファインダ部３３とを有している。
【００３３】
このような構成とされたビューファインダ１２は、図６及び図７に示すように、表示ユニット３１と、取付部材３２と、ファインダ部３３とがそれぞれ互いに着脱可能とされており、詳細を後述するが用途に応じてこれらを適宜着脱することができる。
【００３４】
ビューファインダ１２が有する表示ユニット３１は、図８に示すように、表示ユニット３１の本体を構成する表示ユニット本体４１と、映像を表示する液晶表示パネル４２と、液晶表示パネル４２に表示される映像を調整する表示パネル調整部４３と、ファインダ部３３の後述する円筒部６２が挿通される着脱開口部４４と、ファインダ部３３の後述する第２の係合片６３と係合する第１の係合片４５と、ファインダ部３３を固定するロックピン４６と、ロックピン４６によるファインダ部３３のロックを解除するロック解除レバー４７と、ファインダ部３３が装着及び固定された状態を検出する検出部４８と、図７及び図９に示すように、液晶表示パネル４２に映像信号が伝送される接続コード４９と、取付部材３２に装着・固定するためのねじ孔５０ａ及びその他の箇所に装着・固定するためのねじ孔５０ｂとを有している。
【００３５】
表示ユニット本体４１は、表示ユニット３１の各部が設けられており、図６に示すように液晶表示パネル部４２が設けられた表面と、図７に示すように接続コード４９が引き出された裏面とからなる形状を有している。
【００３６】
液晶表示パネル４２は、図示しないバックライトにより背面から照射された光を、カメラ本体１１から接続コード４９を介して入力された映像信号に基づき空間変調することで映像を表示する、いわゆるＬＣＤ（Ｌｉｑｕｉｄ　Ｃｒｙｓｔａｌ　Ｄｉｓｐｌａｙ）でありる液晶表示パネル４２は、矩形状の映像表示面を有しており、この対角線の長さが、例えば略２．７インチのサイズとされている。
【００３７】
表示パネル調整部４３は、図８に示すように、液晶表示パネル４２に表示される映像を調整するために各種入力手段が設けられており、この入力手段を使用者が操作することで、例えば、明るさ調整、コントラスト調整、色バランス調整、表示位置調整、表示範囲調整等の各種調整を行うことができる。
【００３８】
着脱開口部４４は、ファインダ部３３の円筒部６２が挿通される略円形状の開口部であり、この開口部の中央に液晶表示パネル４２が位置するようになっている。
【００３９】
第１の係合片４５は、着脱開口部４４の内壁から突出したブレードであり、着脱開口部４４の開口端に沿って断続して略環状に設けられている。第１の係合片４５は、具体的に円周を略６等分したうちの互いに独立する３つの部分に設けられている。第１の係合片４５は、着脱開口部４４に挿入されたファインダ部３３の円筒部６２に設けられた第２の係合片６３と係合することで、表示ユニット３１に対してファインダ部３３を装着することを可能とする。
【００４０】
ロックピン４６は、第１の係合片４５と第２の係合片６３とが係合した状態で表示ユニット３１とファインダ部３３とを固定するロック機構である。ロックピン４６は、表示ユニット３１とファインダ部３３とが離間する方向にコイルバネ等の弾性部材により付勢されたピンであり、後述する第２の係合片６３のロック凹部６３ａと係合することで表示ユニット３１に対してファインダ部３３を固定する。
【００４１】
ロック解除レバー４７は、表示ユニット３１に対して固定されたファインダ部３３のロックを解除するレバーであり、押圧されることで表示ユニット３１とファインダ部３３とが近接する方向にロックピン４６を引き下げ、ロックピン４６と係合した第２の係合片６３のロック凹部６３ａが開放されてロックを解除する。
【００４２】
検出部４８は、第１の係合片４５と第２の係合片６３とが係合した状態を検出するピンであり、着脱開口部４４の中心方向で、且つ第２の係合片６３を押圧する方向に弾性部材により付勢されている。検出部４８は、第２の係合片６３が第１の係合片４５と係合した場合に、付勢力に抗して第２の係合片６３により押圧された状態とされ、この状態で表示ユニット３１とファインダ部３３とが接続されたことを検出する。検出部４８は、後述する制御回路８１の反転スイッチ８４と接続されており検出情報を反転スイッチ８４に出力する。
【００４３】
なお、検出部４８は、詳細を後述するが表示ユニット３１に対してファインダ部３３を装着する際にファインダ部３３を回動することで第１の係合片４５と第２の係合片６３とが係合するため、第２の係合片６３の回動方向の下手側に対応する位置に設けられていることが好ましい。
【００４４】
接続コード４９は、図７及び図９に示すように、表示ユニット本体４１の裏面から引き出された配線であり、表示ユニット本体４１とカメラ本体１１の表示ユニット接続部２０とを電気的に接続する。接続コード４９は、表示ユニット接続部２０と接続される一端が表示ユニット接続部２０と係合するコネクタ４９ａとされており、表示ユニット接続部２０に着脱可能とされている。また、接続コード４９は、表示ユニット本体４１に接続される一端が、詳細を後述するがビューファインダ１２の回動中心の軸線に沿って表示ユニット本体４１から引き出され固定されている。
【００４５】
ねじ孔５０ａは、表示ユニット３１に取付部材３２を装着する際に取付部材３２に対して後述するねじ５６によりねじ止めするために設けられている。ねじ孔５０ｂは、表示ユニット３１を例えば、カメラ本体部１１の第１の部品取付部１８又は第２の部品取付部１９や、その他の箇所に固定するために設けられており、予備ねじ等によりねじ止めされる。
【００４６】
次に、ビューファインダ１２が有する取付部材３２は、図６及び図７に示すように、カメラ本体１１に対して固定される固定部５１と、固定部５１に対して回動可能に接続された回動部５２とを有している。取付部材３２は、固定部５１が互いに直交する平面が略Ｌ字状に配された形状とされており、一方の平面がカメラ本体１１のビューファインダ取付部１７と接続されてカメラ本体１１に対して固定され、他方の面が回動部５２と当接し、回動部５２が固定部５１に対して摺動しながら回動する。
【００４７】
固定部５１には、図３に示すように、ビューファインダ取付部１７の傾斜部１７ａと係合する爪部５４が図３中に示す矢印Ａ３方向に渡って設けられており、この爪部５４とビューファインダ取付部１７の傾斜部１７ａとが係合するように矢印Ａ３方向に装着する。
【００４８】
また、固定部５１には、ビューファインダ取付部１７のロック凹部１７ａに対応するロックピン５５が設けられており、このロックピン５５がロック凹部１７ａと係合することで、ビューファインダ取付部１７と固定部５１が固定される。なお、ロックピン５５がロック凹部１７ａと係合した状態では、完全にビューファインダ１２をカメラ本体１１に固定した状態とはならず、更にビューファインダ取付部１７のロックねじ１７ｃをねじ込みビューファインダ取付部１７が固定部５１に押し付けられることで、ビューファインダ１２をカメラ本体１１に完全に固定することができる。このように固定部５１とビューファインダ取付部１７とにより構成される取付機構によりカメラ本体１１にビューファインダ１２を装着することができる。
【００４９】
回動部５２は、表示ユニット３１の表示ユニット本体４１に４本のねじ５６により固定されている。ねじ５６は、表示ユニット３１のねじ孔５０ａにねじ込まれるようになっている。
【００５０】
具体的に取付部材３２における固定部５１と回転部５２との回動部分を説明する。
【００５１】
固定部５１は、図１０に示すように、回転部５２の回動中心となる軸線に沿ったベース５７が設けられておりベース５７の中央部に接続コード４９が挿通される軸部５７ａが設けられている。接続コード４９は、回動中心の軸線に沿って配設されている。
【００５２】
回動部５２は、ベース５７が貫通される貫通孔５９ａを有する軸受け部５９が設けられ、軸受け部５９の内部に３つのワッシャ５９ｂが互いに等間隔となるように平行に軸部５７ａに挿通され、これらワッシャ５９ｂの間に皿バネ５９ｃが位置するようにこの皿バネ５９ｃが軸部５７ａに挿通されている。皿バネ５９ｃは、それぞれのワッシャ５９ｂにより押圧されるように配設されているため、それぞれのワッシャ５９ｂを付勢する。回動部５２は、ワッシャ５９ｂのうちベース５７と当接する一つがベース５７を付勢しながら摺動するため、摺動面での摩擦力により回動部５２に対して所定の回転モーメントが印加されたときにのみ回動するように調整されている。
【００５３】
次に、ビューファインダ１２が有するファインダ部３３は、図１１及び図１２に示すように、ファインダ部３３の本体を構成するファインダ部本体６１と、表示ユニット３１の着脱開口部４４に挿入される円筒形状の円筒部６２と、表示ユニット３１の第１の係合片４５と係合する第２の係合片６３と、表示ユニット３１の液晶表示パネル４２からの光を反射するミラー６４と、ミラー６５で反射された光を拡大するルーペ部６５とを有している。
【００５４】
ファインダ部本体６１は、ミラー６４及びルーペ部６５を内蔵する空間が設けられており、液晶表示パネル４２からの光が通過する光路に外部から光が入射しないように覆い隠す、いわゆる鏡筒としての機能を有する。ファインダ部本体６１は、ミラー４２により光路が折り曲げられるため、略Ｌ字状の形状とされている。ファインダ部本体６１は、表示ユニット３１と接続される側に円筒部６２が設けられている。
【００５５】
円筒部６２は、表示ユニット３１の着脱開口部４４に挿通される部分であり、着脱開口部４４の内壁から突出する第１の係合片４５よりも径が小さくされている。円筒部６２は、外周壁に第２の係合片６３が設けられている。
【００５６】
第２の係合片６３は、円筒部６２の外周壁から突出したブレードであり、円筒部６２の外壁に断続して略環状に設けられている。第２の係合片６３は、具体的に円周を略６等分したうちの互いに独立する３つの部分に設けられている。第２の係合片６３は、着脱開口部４４の第１の係合片４５と係合することで、表示ユニット３１に対してファインダ部３３を装着することを可能とする。
【００５７】
第２の係合片６３は、表示ユニット３１に対してファインダ部３３を装着する際に、ロックピン４６と係合するロック凹部６３ａと、検出部４８を押し上げる傾斜部６３ｂとが設けられている。
【００５８】
このような第１の係合片４５及び第２の係合片６３は、例えば、ブレードが互いに重ならないように断続して環状に設けられた、いわゆるバヨネットマウントを構成している。
【００５９】
ミラー６４は、表示ユニット３１の液晶表示パネル４２の映像表示面に対して４５°傾けてファインダ部本体６１の内部に配設されており、液晶表示パネル４２からの光を反射することで９０°向きを変化させてルーペ部６５に導く。
【００６０】
ルーペ部６５は、ファインダ部本体６１に対して、図１３中に示す矢印Ａ６方向に、着脱可能に設けられた光学ユニットであり、ミラー６４により反射された液晶表示パネル４２からの光を減光する偏光フィルタ６６と、偏光フィルタ６６を透過した光を拡大するレンズ部６７と、使用者の頭部と当接する接眼部６８とを有している。
【００６１】
ルーペ部６５は、液晶表示パネル４２に表示された映像を拡大して確認するためのものであり、接眼部６８にフード部６８ａが設けられて外部からの光を遮光し、使用者の視野全体に映像のみが拡大表示されることで、使用者が映像に集中することができるようになっている。ルーペ部６５には、図示しない係合部が設けられており、この係合部がファインダ部本体６１の内部に設けられた図示しない溝部と係合することでルーペ部６５が回転しないように固定される。
【００６２】
偏光フィルタ６６は、レンズ部６７側から液晶表示パネル４２に向かう光を減光するフィルタであり、太陽光等の強い光を液晶表示パネル４２に集光してしまわないように設けられている。偏光フィルタ６６は、接眼部６８から入射する光の輝度を２０％程度減少するように設計されている。なお、偏光フィルタ６６を配設する位置は、接眼部６８から入射する光を減光する位置であれば他の場所でもよい。
【００６３】
なお、偏光フィルタ６６は、液晶表示パネル４２から出力される光が偏光であるため、液晶表示パネル４２から出力される光が透過しやすいように偏光軸を調整しておくことで、液晶表示パネル４２から出力された光の透過率を接眼部６８から入射する光の透過率に対して高めることができる。ルーペ部６５では、図示しない係合部により固定されるため、偏光フィルタ６６の偏光軸が液晶表示パネル４２から出力される光の偏光方向と一致するように適切に固定される。
【００６４】
レンズ部６７は、例えば２群構成とされた拡大レンズであり、液晶表示パネル４２に表示された映像を拡大する。
【００６５】
接眼部６８は、上述したようにフード部６８ａが設けられており、使用者の頭部、特に目の周辺と当接することから軟性を有するゴム材により形成されており、使用者の頭部が当接しても安全である。
【００６６】
ところで、ファインダ部３３では、ルーペ部６５がレンズ部６７を有しているため、液晶表示パネル４２に表示された映像が使用者の目に合焦する範囲がこのレンズ部６７の特性に依存する。すなわち、ルーペ部６５を用いた場合には、映像を確認する使用者の頭部の位置が制限されてしまうことがある。
【００６７】
この場合には、ルーペ部６５をファインダ部３３から取り外して、液晶表示パネル４２に表示された映像を直接確認することができるようにすることができる。具体的には、ファインダ部３３からルーペ部６５を取り外し、液晶表示パネル４２に表示された映像がミラー６４で反射されて、ミラー６４で反射された映像を直接視認することになる。
【００６８】
また、ファインダ部３３では、図２に示すように、ビューファインダ１２が上方に向けられて、ルーペ部６５の接眼部６８が上方に位置するときに、太陽光等を液晶表示パネル４２に集光してしまう恐れがある。
【００６９】
従来のビューファインダでは、太陽光を液晶表示パネル４２に集光してしまうことにより映像表示面が過熱されて表面のフィルムが熱変形を起こしてしまい、液晶表示パネル４２が正常に機能しなくなってしまうことがあった。
【００７０】
本発明におけるファインダ部３３では、ルーペ部６５に偏光フィルタ６６を設けることで、ルーペ部６５が太陽光を集光してしまった場合でも、太陽光を偏光フィルタ６６により減光することで、液晶表示パネル４２の映像表示面を過熱してしまう危険性を低下することができる。
【００７１】
ここで、上述したような構成とされたファインダ部３３を表示ユニット３１に装着する動作について詳細に説明する。
【００７２】
先ず、図１４に示すように、表示ユニット３１の第１の係合片４５とファインダ部３３の第２の係合片６３とが重ならないように、表示ユニット３１とファインダ部３３とが対向する方向に接続開口部４４内に円筒部６２を挿通する。このとき第１の係合片４５と第２の係合片６３とは、表示ユニット３１とファインダ部３３との対向方向において、互いにずれた位置とされているため、表示ユニット３１に対してファインダ部３３を図１４中に示す矢印Ａ７方向に回動可能となる。また、このとき第２の係合片６３によりロックピン４６を押圧し、ロックが解除された状態となる。
【００７３】
次に、表示ユニット３１に対してファインダ部３３を矢印Ａ７方向に回動することで、第２の係合片６３の傾斜部６３ｂが検出部４８を押圧しながら摺動し、図１５に示すように、第１の係合片４５と第２の係合片６３とが表示ユニット３１とファインダ部３３との対向方向において、互いに重なるようにファインダ部３３が回動することで、第２の係合片６３の回動方向の下手側の一部が検出部４８を押し上げた状態となる。
【００７４】
そして、更に表示ユニット３１に対してファインダ部３３を矢印方向に回動することで、第２の係合片６３がロックピン４６とが離れるためロックピン４６が付勢力により元の状態に戻り、ファインダ部３３がロックされる。
【００７５】
なお、ファインダ部３３を表示ユニット３１から取り外す場合は、ロック解除レバー４７を押圧することでロックピン４６が押し下げられ、ロックが解除される。ロック解除レバー４７を押圧しながら表示ユニット３１に対してファインダ部３３を矢印Ａ７方向に対して反対方向に回動することで図１４に示すように、第１の係合片４５と第２の係合片６３とが、表示ユニット３１とファインダ部３３との対向方向において、互いにずれた位置となるため、着脱可能となる。
【００７６】
なお、図１５中に示す切り欠き部６３ｃは、検出部４８に対応する位置に設けられており、表示ユニット３１に対してファインダ部３３以外の部品を装着する場合に、その部品の係合片に設けるものである。すなわち、切り欠き部６３ｃが設けられた係合片を有する部品を表示ユニット３１に装着した場合に、係合片が検出部４８を押圧しないため、検出部４８では、ファインダ部３３が装着されていないと判断する。
【００７７】
表示ユニット３１に装着する他の部品としては、図１６に示すように、外部から液晶表示パネル４２に入射する光を遮光し液晶表示パネル４２に表示された映像を見やすくするフード７１や、図１７に示すような、液晶表示パネル４２に表示された映像を拡大する拡大ルーペ７２を用いることができる。
【００７８】
フード７１は、カメラ本体１１の上方に対応する部分がせり出した構造とされており、上方から入射する特に太陽光との強い光を遮光することで屋外等でも液晶表示パネル４２に表示された映像を鮮明に確認することができる。フード７１は、光を遮光するフード部７２と、表示ユニット３１の第１の係合片４５と係合する第３の係合片７３とを有している。なお、ここで、第３の係合片７３は、第２の係合片６３に切り欠き部６３ｃが形成されたものと略同等のバヨネットマウントである。
【００７９】
拡大ルーペ７４は、ファインダ部３３のルーペ部６５よりも大きな口径のレンズが用いられ、ルーペ部６５よりも拡大された映像を確認することができる。拡大ルーペ７４は、液晶表示パネル４２からの映像を拡大するレンズ部７５と、表示ユニット３１の第１の係合片４５と係合する第４の係合片７６とを有している。なお、ここで、第４の係合片７６は、第２の係合片６３に切り欠き部６３ｃが形成されたものと略同等のバヨネットマウントである。
【００８０】
なお、表示ユニット３１に装着する他の部品としては、フード７１や拡大ルーペ７２に限定されるものではなく、液晶表示パネル４２に表示された映像を確認するために好適な各種の部品を装着することが可能であり、例えば、フードと拡大ルーペとを組み合わせたものであってもよい。
【００８１】
ところで、上述したファインダ部３３では、ミラー６４を用いて映像を反射するため、ルーペ部６５により拡大される映像が左右方向反転したいわゆる鏡像となり、実際に撮影している映像と異なる問題がある。
【００８２】
本発明を適用したビデオカメラ１では、表示ユニット３１の検出部４８によりファインダ部３３が装着されていることが検出できるため、ファインダ部３３が装着されている場合に、液晶表示パネル４２に表示する映像を左右反転させて接眼部６８から使用者が確認した際に、左右反転のない正常な映像となるように制御している。
【００８３】
具体的に映像を反転する制御回路８１は、図１８に示すように、映像信号を出力する映像信号出力部８２と、映像信号出力部８２により出力された映像信号に基づく映像を左右反転する映像反転部８３と、映像反転部８３の動作をオン・オフする反転スイッチ８４と、映像反転部８３により反転された映像信号に基づき液晶表示パネル４２を駆動する液晶表示パネル制御部８５とからなる。
【００８４】
映像信号出力部８２は、撮影部１０により撮影されて出力される映像信号又はカメラ本体１１内の記録再生部から再生される映像信号を出力する回路である。
【００８５】
映像反転部８３は、映像信号出力部８２から出力された映像信号を左右反転させる信号処理回路であり、反転スイッチ８４がオンである場合に映像信号を左右反転させて液晶表示パネル制御部８５へ出力し、反転スイッチ８４がオフである場合に映像信号の左右反転を行わずにそのままの映像信号を液晶表示パネル制御部８５へ出力する。
【００８６】
反転スイッチ８４は、検出部４８と接続されており、検出部４８が第２の係合片６３に押圧された状態で表示ユニット３１に対してファインダ部３３が装着された状態を検出するため、この状態の場合に映像反転部８３の動作をオン状態とする。また、反転スイッチ８４は、検出部４８が第２の係合片６３に押圧されていない状態で表示ユニット３１に対してファインダ部３３が装着されていない状態を検出するため、この状態の場合に映像反転部８３の動作をオフ状態とする。
【００８７】
液晶表示パネル制御部８５は、映像反転部８３から出力された映像信号に基づき液晶表示パネル４２を駆動して、液晶表示パネル４２に映像を表示させる。
【００８８】
ここで、上述したフード７１や拡大ルーペ７４等の部品を表示ユニット３１に装着する場合には、これらフード７１や拡大ルーペ７４がミラーを有していないため、映像が反転してしまうことがない。フード７１や拡大ルーペ７４では、第３の係合部７３及び第４の係合片７６の検出部４８が当接する位置に切り欠き部６３ｃが設けられているため、上述した反転スイッチ８４がオフとなり、したがって映像反転部８３が映像信号を左右反転させずに液晶表示パネル制御部８５へ出力する。
【００８９】
このように、映像信号の左右反転を行う必要がない部品を表示ユニット３１の装着する場合には、第１の係合片４５と係合する係合片に切り欠き部６３ｃに相当するものを設けてやることで、各種の部品を取り付けることができるようになる。
【００９０】
以上のように制御回路８１は、液晶表示パネル４２に映像する映像が、使用者に対して正常な映像となるように左右反転の切り替えを行う。
【００９１】
なお、制御回路８１は、ビューファインダ１２に設けられるようになっているが、カメラ本体１１に備えるようにしてもよい。
【００９２】
このようなビューファインダ１２は、図２に示すように、カメラ本体１１に対して回動可能に設けられている。ビューファインダ１２は、カメラ本体１１に対して回動する際に、取付部材３２の固定部５１と回動部５２との間で回動するようにされており、表示ユニット３１の内部で回動するわけではない。ビューファインダ１２では、表示ユニット３１から引き出された接続コード４９が回動する部分から切り離されているため、接続コード４９が内部で捩れてしまうことがなくなる。
【００９３】
つまり、ビューファインダ１２では、接続コード４９が表示ユニット３１の回動中心から外部に引き出されているため、表示ユニット３１が回動した場合でも接続コード４９にゆとりがあり局所的に著しい捩れが発生することがなくなる。
【００９４】
これによりビューファインダ１２では、接続コード４９の捩れ断線を抑制することができ、表示ユニット３１の液晶表示パネル４２の表示される映像が突然消えてしまうような事態を防止することができる。
【００９５】
ところで、ビデオカメラでは、映画等を撮影する際に、カメラ本体を三脚等に固定することで、使用者がビデオカメラの後方に配設された椅子等に着座したまま撮影を行う場合がある。この際に、ビデオカメラでは、ビューファインダの接眼部が使用者から遠くなってしまうため、ビューファインダを後方に光学的に引き伸ばした部品であるロングビューファインダを用いることで、接眼部をビデオカメラの後方に着座した使用者に近づける必要がある。
【００９６】
そこで、本発明を適用したビデオカメラ１は、ビューファインダ１２がカメラ本体１１から着脱可能に設けられているため、図１９乃至図２１に示すように、三脚９３の上部にカメラ本体部１１が固定された場合に、ビューファインダ取付部１７から後方に引き伸ばされた第１のアーム部材９１と、第１のアーム部材９１の後方の一点を支持する第２のアーム部材９２とを用いて、ビューファインダ１２をカメラ本体１１の後方に支持することができる。
【００９７】
第１のアーム部材９１は、アルミニウムやチタン等の軽量な金属により棒状に形成された部材である。第１のアーム部材９１は、一端がカメラ本体１１のビューファインダ接続部１７を支点９１ａとして回動可能にビューファインダ接続部１７に接続されており、他端がカメラ本体１１の後方に位置するように第２のアーム部材９２により支持される。この第１のアーム部材９１には、他端にビューファインダ１２を支持するためのブラケット９４が取り付けられ、このブラケット９４を介してビューファインダ１２が第１のアーム部材１９の長手方向、すなわち図１９中に示す矢印Ａ９方向に移動可能に取り付けられる。
【００９８】
第２のアーム部材９２は、アルミニウムやチタン等の軽量な金属により棒状に形成された部材である。第２のアーム部材９２は、一端が三脚９３の一部を支点９２ａとして回動可能に三脚９３に接続されており、他端がカメラ本体１１の後方に位置するように第１のアーム部材９１により接続され、第１のアーム部材９１を支持する。第２のアーム部材９２は、第１のアーム部材９１を支持することから、伸縮可能な構造とされており、例えば油圧等により滑らかな伸縮が可能とされたダンパー機構を有するとしてもよい。
【００９９】
第１のアーム部材９１と第２のアーム部材９２とは、互いに接続される位置で、支点９１ｂを中心に互いに回動可能とされている。
【０１００】
三脚９３は、設置面に固定され、上部にカメラ本体１１が図示しないねじ等により三脚取付部１６と接続されて、ビデオカメラ１を支持する。三脚９３は、ビデオカメラ１の向きを所望の方向に変化することが可能とされており、ビデオカメラ１を所望のパン方向及びチルト方向に向けることができる。
【０１０１】
ビデオカメラ１は、ビデオカメラ１の撮影部１０の正面に位置する被写体を撮影するときに、図１９に示すように、三脚９３上に水平に支持されて、ビデオカメラ１の撮影部１０の下方に位置する被写体を撮影するとき、いわゆるローアングルの構図で撮影を行うときに、図２０に示すように、三脚９３上に撮影部１０が下方を向くように支持される。
【０１０２】
上述したようにビデオカメラ１が図１９中に示す矢印Ａ８方向に傾くとき、ビューファインダ１２は、第１のアーム部材９１及び第２のアーム部材９３に支持されているため、使用者の頭部に対応する略一定の位置のまま静止させておくことができる。
【０１０３】
具体的に、図２０に示すように、ビデオカメラ１が下方にチルトしている場合、支点９１ａがカメラ本体１１に追随して下方に変位することとなるが、この支点９１ａを中心に第１のアーム部材９１が回動するために、第１のアーム部材９１の後方側に装着されたビューファインダ１２の変位量は無視できるほど小さくなる。これは、第１のアーム部材９１が支点９１ｂを伸縮自在とされた第２のアーム部材９２により支持されているため、支点９１ｂ側の高さを略一定に保つことができるためである。
【０１０４】
以上のように本発明を適用したビデオカメラ１では、ビューファインダ１２がカメラ本体１１に対して回動する際に、接続コード４９が回動部分である取付部材３２から独立して引き出されているため接続コード４９が捩れ断線することを防止することができる。これによりこのビデオカメラ１では、ビューファインダ１２をカメラ本体１１に対して頻繁に回動するような場合でも、表示ユニット３１の液晶表示パネル４２に表示される映像が突然消えてしまうことを抑止すると共に、このような過酷な使用状況においても装置の信頼性が向上する。
【０１０５】
また、本発明を適用したビデオカメラ１では、ビューファインダ１２においてルーペ部６５を有するファインダ部３３が表示ユニット３１に対して着脱可能とされているため、表示ユニット３１の液晶表示ユニット４２に表示された映像をルーペ部６５により拡大して見るだけでなく、ファインダ部３３を取り外して液晶表示パネル４２に表示された映像を直視することができる。これによりこのビデオカメラ１では、複数の使用者が液晶表示パネル４２に表示された映像を確認することができるようになる。また、このビデオカメラ１では、記録再生部に記録された映像信号を再生する際に、従来外部モニタに接続して複数の使用者が映像を確認していたが、そのようなモニタを不要とし、ビューファインダ１２のみでモニタの機能を兼ねることができる。これにより、例えば、僻地等で撮影を行う場合、撮影機材を減らすことができる。
【０１０６】
更に、本発明を適用したビデオカメラ１では、ビューファインダ１２がカメラ本体１１に対して着脱可能とされているため、所望の場所にビューファインダ１２を装着することが可能となり、光学的なロングビューファインダを必要とするような場合でも、ロングビューファインダを用いることなく第１のアーム部材９１及び第２のアーム部材９２といった簡便で軽量な部材によりカメラ本体１１の後方にビューファインダ１２を配することができる。
【０１０７】
このようなビデオカメラ１では、高価で重い光学的なロングビューファインダを用いることなく、同等の機能を得ることができるため、光学的なロングビューファインダのコストをなくすことができると共に、第１のアーム部材９１及び第２のアーム部材９２が簡便で軽量であるために、持ち運びが容易となるとともに取り扱いが簡便となる。
【０１０８】
また、このようなビデオカメラ１では、第１のアーム部材９１及び第２のアーム部材９２が簡便な構造とされているので、故障が発生しにくい。
【０１０９】
更にまた、本発明を適用したビデオカメラ１では、ファインダ部３３の着脱可能とされたルーペ部６５に偏光フィルタ６６を設けることで、接眼部６８側から入射した太陽光等がレンズ部６７により集光されて液晶表示パネル４２の表示面を加熱してしまうことを抑止すると共に、ルーペ部６５をファインダ部３３から取り外した場合にも太陽光等を集光してしまうことを抑止することができる。
【０１１０】
このようなビデオカメラ１では、液晶表示パネル４２の表示面を加熱して表面のフィルムを熱変形させることを抑止することができ、液晶表示パネル４２に映像が表示されなくなることを抑止することができる。
【０１１１】
なお、上述したビデオカメラ１では、ビューファインダ１２が着脱可能とされているため、ビューファインダ１２を表示ユニット３１のねじ孔５０ｂを用いて、カメラ本体１１の第１の部品取付部１８及び第２の部品取付部１９に予備ねじを用いて取り付けるようにしてもよい。
【０１１２】
また、上述したビデオカメラ１では、ビューファインダ１２以外に、例えばビューファインダ１２と略同等のビューファインダ１００を第１の部品取付部１８及び第２の部品取付部１９等に予備ねじを用いて取り付けるようにしてもよい。
【０１１３】
具体例として、図２２に示すように、ビデオカメラ１は、ビューファインダ取付部１７に取り付けられたビューファインダ１２以外に、表示ユニット３１のみの構成とされたビューファインダ１２を第２の部品取付部１９の装着することで、使用者がビューファインダ１２により撮影する映像に集中すると共に、他の複数の使用者がビューファインダ１００を直視することができる。
【０１１４】
このようなビデオカメラ１は、同時に多数の人が撮影中の映像を確認することができるため、映画等のように多人数で撮影作業を行うような場合に好適である。
【０１１５】
【発明の効果】
以上のように本発明では、ビューファインダがカメラ本体に対して着脱可能とされているため、所望の場所にビューファインダを装着することが可能となり、光学的なロングビューファインダを必要とするような場合でも、ロングビューファインダを用いることなく部品取付部に取り付けたり、アーム部材等といった簡便で軽量な部材に取り付けることでカメラ本体の後方にビューファインダを配することができる。
【図面の簡単な説明】
【図１】本発明を適用したビデオカメラの構成を説明する斜視図である。
【図２】同ビデオカメラのビューファインダが回動する状態を説明する斜視図である。
【図３】同ビデオカメラに対してビューファインダを着脱する状態を説明する斜視図である。
【図４】ファインダ部側から見たビューファインダの構成を説明する斜視図である。
【図５】カメラ本体側から見たビューファインダの構成を説明する斜視図である。
【図６】カメラ本体側から見たビューファインダの構成を説明する分解斜視図である。
【図７】ファインダ部側から見たビューファインダの構成を説明する分解斜視図である。
【図８】ビューファインダが有する表示ユニットの液晶表示パネル側から見た構成を説明する平面図である。
【図９】ビューファインダが有する表示ユニットを下方から見た構成を説明する平面図である。
【図１０】ビューファインダが有する取付部材の構成を説明するための断面図である。
【図１１】ビューファインダにおいて表示ユニットにファインダ部を装着する状態を説明するための分解斜視図である。
【図１２】ビューファインダが有するファインダ部の構成を説明するための図である。
【図１３】ビューファインダにおけるファインダ部からルーペ部を着脱する状態を説明するための斜視図である。
【図１４】ビューファインダにおける表示ユニットに対してファインダ部が着脱可能な状態を説明する図である。
【図１５】ビューファインダにおける表示ユニットに対してファインダ部が装着されてロックされた状態を説明する図である。
【図１６】ビューファインダにおける表示ユニットに対して取り付けられるフードを説明する図である。
【図１７】ビューファインダにおける表示ユニットに対して取り付けられる拡大ルーペを説明する図である。
【図１８】液晶表示パネルに表示される映像の左右を反転させる制御回路を説明するための図である。
【図１９】ビューファインダの取り付け位置を後方にし、ビデオカメラがチルトしていない状態を説明するための図である。
【図２０】ビューファインダの取り付け位置を後方にし、ビデオカメラがチルトした状態を説明するための図である。
【図２１】ビューファインダの取り付け位置を後方にしたビデオカメラの構成を説明する平面図である。
【図２２】ビューファインダの取り付け位置を後方にしたビデオカメラの他の構成を説明する斜視図である。
【符号の説明】
１　ビデオカメラ、１０　撮影部、１１　カメラ本体、１２　ビューファインダ、１３　電源部、１４　取手部、１５　肩乗せ凹部、１６　三脚取付部、１７ビューファインダ取付部、１７ａ　傾斜部、１７ｂ　ロック凹部、１７ｃ　ロックねじ、１８　第１の部品取付部、１９　第２の部品取付部、２０　表示ユニット接続部、２１　撮影レンズ、３１　表示ユニット、３２　取付部材、３３　ファインダ部、４１　表示ユニット本体、４２　液晶表示パネル、４３　表示パネル調整部、４４　着脱開口部、４５　第１の係合片、４６　ロックピン、４７ロック解除レバー、４８　検出部、４９　接続コード、４９ａ　コネクタ、５０ａ　ねじ孔、５０ｂ　ねじ孔、５１　固定部、５２　回動部、５４　爪部、５５　ロックピン、５６　ねじ、５７　ベース、５７ａ　軸部、５９　軸受け部、５９ａ　貫通孔、５９ｂ　ワッシャ、５９ｃ　皿バネ、６１　ファインダ部本体、６２　円筒部、６３　第２の係合片、６３ａ　ロック凹部、６３ｂ　傾斜部、６３ｃ　切り欠き部、６４　ミラー、６５　ルーペ部、６６　偏光フィルタ、６７　レンズ部、６８　接眼部、６８ａ　フード部、７１　フード、７２　フード部、７３　第３の係合部、７４　拡大ルーペ、７５　レンズ部、７６　第４の係合部、８１　制御回路、８２　映像信号出力部、８３　映像反転部、８４　反転スイッチ、８５　液晶表示パネル制御部、９１　第１のアーム部材、９１ａ　支点、９１ｂ　支点、９２　第２のアーム部材、９２ｂ　支点、９３　三脚、９４ブラケット、１００　ビューファインダ
【図１】
2004147233.tif 000003
【図２】
2004147233.tif 000004
【図３】
2004147233.tif 000005
【図４】
2004147233.tif 000006
【図５】
2004147233.tif 000007
【図６】
2004147233.tif 000008
【図７】
2004147233.tif 000009
【図８】
2004147233.tif 000010
【図９】
2004147233.tif 000011
【図１０】
2004147233.tif 000012
【図１１】
2004147233.tif 000013
【図１２】
2004147233.tif 000014
【図１３】
2004147233.tif 000015
【図１４】
2004147233.tif 000016
【図１５】
2004147233.tif 000017
【図１６】
2004147233.tif 000018
【図１７】
2004147233.tif 000019
【図１８】
2004147233.tif 000020
【図１９】
2004147233.tif 000021
【図２０】
2004147233.tif 000022
【図２１】
2004147233.tif 000023
【図２２】
2004147233.tif 000024